(57)【要約】【課題】二種を分離した状態で保管し、直前に混合して使用する如く構成した二種混合容器であって、収納物の漏れや流出が全くなく、従って、開封前に両者が混合してしまう等の不都合を確実に防止でき、また、混合する際の操作も簡単な二種混合容器を提案する。【解決手段】第１容器Ａにその口頸部２上端開口を閉塞して第２容器Ｂを螺着してなり、前記第２容器に環状の薄肉破断線23を設けるとともに、上向き段部形態の環状面24を形成し、第２容器の螺脱の際に前記環状面が口頸部３内に突設した係合部７と係合して薄肉破断線が破断し、第２容器内の収納物が第１容器内に落下する如く構成した。【選択図】図２
2006044685.tif 000002
【特許請求の範囲】
【請求項１】
口頸部３を起立した第１容器Ａと、前記口頸部上端開口を閉塞して螺着した第２容器Ｂとを備え、前記第２容器に環状の薄肉破断線23を設けるとともに、上向き段部形態の環状面24を設け、前記第２容器の螺脱に際して前記環状面24が前記口頸部３内に突設した係合部７と係合して前記薄肉破断線23が破断し、前記第２容器内の収納物が前記第１容器内に落下する如く構成したことを特徴とする二種混合容器。
【請求項２】
前記第１容器Ａの上端に嵌着した筒部材Ｃを介して前記第２容器Ｂを螺着してなり、前記筒部材Ｃは、前記口頸部３外周に装着筒５を嵌着するとともに、前記口頸部３上方に螺筒６を起立し、且つ、前記口頸部内に前記係合部７を突設してなり、前記第２容器Ｂは、前記螺筒６外周に装着筒13を螺着させるとともに、該装着筒13に支持されて内部に収納室R2を画成してなる筒状の本体部17を前記螺筒６内に垂下させ、且つ、前記本体部17の周壁22に前記薄肉破断線23及び前記環状面24を設けてなる請求項１記載の二種混合容器。
【請求項３】
前記第２容器Ｂの装着筒13に破断部14を周設して下端部に分離帯13a を画成するとともに、該分離帯13a を前記口頸部３に対して抜け出しを防止して強制係合させてなる請求項２記載の二種混合容器。
【請求項４】
下端部をそれぞれ中心側に湾曲した周方向多数の係合突片7bを筒状に並設した前記係合部７を設けてなる請求項１乃至請求項３のいずれかに記載の二種混合容器。
【発明の詳細な説明】
【技術分野】
【０００１】
本発明は二種混合容器に関する。
【背景技術】
【０００２】
液体，粉体，粒体等のうち二種類を選択してそれらを隔離した状態で収納し、また、使用の際には簡単に混合することができる二種混合容器が提案されている（特許文献１参照）。
【０００３】
上端に口頸部を有しかつ口頸部乃至その下方近傍の内側に突片突当手段を講じた第１容器と、倒立させかつ口部を口頸部へ挿入して口頸部に取り外し可能に装着した第２容器と、該第２容器の口部に取り外し可能に嵌合させるとともに、上記突片突当手段へ係合させる突片を設けた栓体とからなり、第１容器には液等の第１内容物を、第２容器には粉体等の第２内容物を収容し、この状態で第２容器を取り外せば第２容器の口部が液体容器の口頸部から引き抜かれるのに対し、栓体は突片が第１容器の突片突当手段に係合しているため動かず、栓体が外れて、第２内容物が第１内容物に混合される。
【特許文献１】特開平７−３００１６２号公報
【発明の開示】
【発明が解決しようとする課題】
【０００４】
この様な二種混合容器は、その第２容器が下方に開口した口部を栓体により閉塞しているため、即ち、取り外しを条件としてセットした部分があることで、ここからの漏れや流出が可能性として存在することは否めない。
【０００５】
本発明は上記した点に鑑みてなされたもので、収納物の漏れや流出の可能性を全く無くし、しかも、混合する際も簡単な操作で容易に混合することができ、更に、構造が比較的単純で廉価に製造できる二種混合容器を提案するものである。
【課題を解決するための手段】
【０００６】
第１の手段として、口頸部３を起立した第１容器Ａと、前記口頸部上端開口を閉塞して螺着した第２容器Ｂとを備え、前記第２容器に環状の薄肉破断線23を設けるとともに、上向き段部形態の環状面24を設け、前記第２容器の螺脱に際して前記環状面24が前記口頸部３内に突設した係合部７と係合して前記薄肉破断線23が破断し、前記第２容器内の収納物が前記第１容器内に落下する如く構成した。
【０００７】
第２の手段として、前記第１の手段に於いて、前記第１容器Ａの上端に嵌着した筒部材Ｃを介して前記第２容器Ｂを螺着してなり、前記筒部材Ｃは、前記口頸部３外周に装着筒５を嵌着するとともに、前記口頸部３上方に螺筒６を起立し、且つ、前記口頸部内に前記係合部７を突設してなり、前記第２容器Ｂは、前記螺筒６外周に装着筒13を螺着させるとともに、該装着筒13に支持されて内部に収納室R2を画成してなる筒状の本体部17を前記螺筒６内に垂下させ、且つ、前記本体部17の周壁22に前記薄肉破断線23及び前記環状面24を設けた。
【０００８】
第３の手段として、前記第２の手段に於いて、前記第２容器Ｂの装着筒13に破断部14を周設して下端部に分離帯13a を画成するとともに、該分離帯13a を前記口頸部３に対して抜け出しを防止して強制係合させた。
【０００９】
第４の手段として、前記第１の手段乃至第３の手段に於いて、下端部をそれぞれ中心側に湾曲した周方向多数の係合突片7bを筒状に並設した前記係合部７を設けた。
【発明の効果】
【００１０】
本発明の二種混合容器は、第２容器Ｂの螺脱に際して第２容器Ｂの環状面24が係合部７に当接して薄肉破断線23が破断して第２容器Ｂの内容物が第１容器内に落下する如く構成したので、その開封は極めて簡単であり、また、第２容器Ｂの収納室R2を形成する本体部に取り外しを条件としてセットする部分がないため、漏れや流出の可能性を殆ど無視でき、しかも、構造は比較的簡単で、合成樹脂により容易に且つ安価に製造できる利点がある。
【００１１】
また、第２の手段では、筒部材Ｃを設けているので、口頸部３内に形成しずらい係合部７をシャープに且つ容易に形成でき、その組み付けも容易に行える。また、係止部の形態も別に形成するため種々選択でき、その自由度は大きく、同様にその材質の選択も自由度が大きい。
【００１２】
また、第３の手段では、破断部14を破断しない限り第２容器Ｂの螺脱ができないため不用意な第２容器Ｂの破断がなく、不用意な各収納物の混合を防止できる。また、一見して容器の未使用を表現でき、商品の信頼性を向上し、その価値を向上する等の効果を発揮する。
【００１３】
また、第４の手段では、各係合突片7bが第２容器Ｂの螺動上昇に伴って順次環状面24を押圧するため薄肉破断線23が破断し易く、また、第２容器Ｂの装着の際には、各係合突片7bが外方へ弾性変形して容易に装着できる利点がある。
【発明を実施するための最良の形態】
【００１４】
以下、本発明の実施例の形態を図面を参照して説明する。
【００１５】
図１は本発明二種混合容器１の一例を示し、該容器１は、第１容器Ａと、第２容器Ｂとを備えている。
【００１６】
第１容器Ａは、胴部２より口頸部３を起立しており、口頸部３の外周には係止突条４を突周設している。胴部２内は混合するための液体或いは粉末、顆粒等の固体状の収納物を収納する第１収納室R1として構成している。
【００１７】
第２容器Ｂは、前記口頸部３上端開口を閉塞して螺着したもので、図示例では、筒部材Ｃを介して第１容器Ａに装着している。筒部材Ｃは、前記口頸部３外周に装着筒５を嵌合するとともに、口頸部３上方に螺筒６を起立し、且つ、口頸部３内に係合部７を垂設している。係合部７は第２容器Ｂを螺脱させる際に後述する環状面24が当接して後述する薄肉破断線を破断するためのもので、その形状は筒状であっても、突起状であっても種々選択できる。
【００１８】
図示例では、口頸部３外周の係止突条４に乗り越え係合させた係合突条８を内周に突設した装着筒５を口頸部３外周に嵌合している。また、装着筒５の上端縁より内方へ延設したフランジ９の内周縁より下方へ係合部７を垂設し、フランジ９上面から上方へ螺筒６を立設している。螺筒６の外周には螺条10を周設し、その下方には係止突条11を突周設している。また、係合部７はフランジ９の内周縁より口頸部３裏面に嵌合させた筒状の取付基部7a下面に、それぞれ下端部が中心側に湾曲した係合突片7bを周方向多数設けて構成している。
【００１９】
第２容器Ｂは、前記口頸部上端開口を閉塞して螺着している。図示例では、前記螺筒６外周の螺条10と螺合させた螺条12を内面に周設した装着筒13を螺着し、また、装着筒13の下部には破断部14を周設して分離帯13a を画成しており、この分離帯13a 内面に突周設した係合突条15を前記係止突条11下面に乗り越え係合させて抜け出しの防止を図っている。前記破断部14は装着筒13を螺脱しようとした際に、前記抜け出し防止手段により係止された分離帯13a を分離できる程度の連結強度を備えていれば良く、図示例では、分離帯13a とその他の装着筒13とを、周方向複数位置に於いて、細棒状の連結片16により連結した形態を採っている。
【００２０】
また、装着筒13に支持されて内部に収納室R2を画成してなる筒状の本体部17を前記螺筒６内に垂下させている。図示例では、装着筒13の上端縁より延設した頂壁18の裏面から、螺筒６内周に液密に嵌合するシール筒19を垂設し、その内方に後述カップ状部材の周壁に密嵌するシール筒20を垂設したキャップ状部材B1と、上端を開口した有底筒状のカップ状部材B2とで第２容器を形成している。カップ状部材B2は底壁21の周縁部より周壁22を立設した有底筒状をなし、周壁22の上端縁より前記シール筒20と装着筒13上端部の縮径部分との間に密に嵌合させている。また、周壁22の外面所定位置には周方向間隔をあけて複数のリブ25を突設しており、その下面を前記フランジ９の上面に当接係止させてカップ状部材B2を所定位置で係止可能に構成している。また、リブ25直下の周壁22外周を前記取付基部7a内面に密嵌させて、この部分でその上下をシールし、ひいてはシール筒19との二重シール構造を形成している。従って、開封前に容器が倒れることがあっても第１容器内の収納物がこのシール部分より上方にいくのを防止できる。尚、第２容器Ｂの所定位置での係止手段として、上記したリブ25を形成する構成に代えて、その部分の周壁22を肉厚部に形成したり、その部分の周壁22を膨出させてその下面をフランジ９の上面に当接係止させる如く構成しても良い。
【００２１】
第２容器Ｂは環状の薄肉破断線23を設けている。この薄肉破断線23は第２容器Ｂの螺脱に際して破断して第２容器Ｂ内の収納物が第１容器Ａ内に落下する如く構成している。この薄肉破断線23は本体部17の周壁22に周設しているが、ここに限られず、破断した際に第２容器Ｂ内の収納物が落下可能な位置であれば良い。また、上向き段部形態の環状面24を設けている。この環状面24が前記係止部７により押圧されることにより薄肉破断線23が破断可能な位置に設ける。従って、例えば薄肉破断線23が本体部の周壁22に設けられている場合には、その少なくとも下方の周壁22に設ける。図示例では周壁22外面に形成した環状の凹みの下面として構成している。
【００２２】
上記の如く構成した二種混合容器は、例えば、第１容器Ａ及び第２容器Ｂにそれぞれ液体，固体の収納物を収納し、使用時に混合して使用する。使用に当たっては、図１の状態から第２容器Ｂの装着筒13を螺脱方向へ回転させると破断部14が破断し、次いで螺動上昇する。この際、本体部17も同様に螺動上昇しようとするが、係合部７に環状面24が当接して本体部17の上昇を妨害するため薄肉破断線23が破断し、図４に示す如く、第２容器Ｂの第２収納室内の収納物が第１容器Ａの第１収納室内に落下し、第１収納室内の収納物と混合する。この際、分離された底壁21は第１容器Ａ内の第１収納室R1内に落下する。次いで、要すれば混合物を攪拌した後、第２容器Ｂを螺脱すれば混合した収納物を取り出すことができる。
【００２３】
尚、上記各部材を形成する材質は種々選択できるが、合成樹脂により形成すると好ましい。
【図面の簡単な説明】
【００２４】
【図１】本発明の半断面図である。（実施例１）
【図２】本発明のカップ状部材の半断面図である。（実施例１）
【図３】本発明の要部拡大断面図である。（実施例１）
【図４】本発明の作用を説明する一部切欠側面図である。（実施例１）
【符号の説明】
【００２５】
３…口頸部，６…螺筒，７…係合部，13…装着筒，13a …分離帯，14…破断部，
17…本体部，22…周壁、23…薄肉破断線，24…環状面，Ａ…第１容器，Ｂ…第２容器，  Ｃ…筒部材，
【図１】
2006044685.tif 000003
【図２】
2006044685.tif 000004
【図３】
2006044685.tif 000005
【図４】
2006044685.tif 000006